(57)【要約】【課題】使用者の好みの変化に応じてデザインを変更でき、相当な長期間に渡ってデザインを楽しむことができるアクセサリーを提供する。【解決手段】開閉蓋３３を開けて開口３２を開放し、開口からＡ型部材５３、Ｂ型部材５５、Ｃ型部材５７、花形部材５９及び円柱状部材６１を入れて、空洞部１３に収容する。そして、開閉蓋３３を閉めて、開口３２を閉鎖する。Ａ型部材５３、Ｂ型部材５５、Ｃ型部材５７、花形部材５９及び円柱状部材６１を空洞部１３に収容したデザインを変更したい場合には、別の装飾部材に入れ替える。これによりアクセサリー１は別のデザインとなる【選択図】        図１
0003165917.tif 000002
【実用新案登録請求の範囲】
【請求項１】
少なくとも一部に透明部を有する容器体と、前記容器体の内部に形成された空洞部と、前記容器体に設けられ前記空洞部に連通する開口と、前記開口を閉鎖する状態と開放する状態とに開閉可能な開閉蓋と、前記開口から前記空洞部へ出し入れ可能な複数種類の装飾部材とから成ることを特徴とするアクセサリー。
【請求項２】
請求項１に記載したアクセサリーにおいて、透明部は容器体の前面と背面の少なくとも一方に形成され、開口は側面に形成されていることを特徴とするアクセサリー。
【請求項３】
請求項１または２に記載したアクセサリーにおいて、装飾部材は空洞内に複数個収容できるサイズであることを特徴とするアクセサリー。
【考案の詳細な説明】
【技術分野】
【０００１】
本考案はチェーンやストラップ等に取り付けて用いるアクセサリーに関するものである。
【背景技術】
【０００２】
従来からチェーンやストラップに取り付けて、カバンや携帯電話に吊るしたり、ペンダントとして首に掛けたりして用いるアクセサリーが知られている。アクセサリーは形状や模様が変化しないため、デザインは全く変わることがなく、使用者の好みの変化に対応できない。これを解決しようとするものに、特許文献１に記載されたものがある。このアクセサリー（装飾品トップ）は容器体の空洞部にシリコンオイル、貴金属体等が収容されており、貴金属体等が空洞内で動くことによって、模様等が変化するようにしている。
【先行技術文献】
【特許文献】
【０００３】
【特許文献１】実用新案登録第３１３７０００号
【考案の概要】
【考案が解決しようとする課題】
【０００４】
しかしながら、容器本体に収容された貴金属類が動いて模様等が変化するといっても、容器本体に収容された物は同じであり、従って、大きく変化することは不可能であり、使用者の好みの変化に十分対応できないという問題がある。
本考案は上記従来の問題点に着目してなされたものであり、デザインを変更でき、使用者の好みの変化に十分対応することができるアクセサリーの提供を、その目的とする。
【課題を解決するための手段】
【０００５】
本考案は上記課題を解決するためになされたものであり、請求項１の発明は、少なくとも一部に透明部を有する容器体と、前記容器体の内部に形成された空洞部と、前記容器体に設けられ前記空洞部に連通する開口と、前記開口を閉鎖する状態と開放する状態とに開閉可能な開閉蓋と、前記開口から前記空洞部へ出し入れ可能な複数種類の装飾部材とから成ることを特徴とするアクセサリーである。
【０００６】
請求項２の発明は、請求項１に記載したアクセサリーにおいて、透明部は容器体の前面と背面の少なくとも一方に形成され、開口は側面に形成されていることを特徴とするアクセサリーである。
【０００７】
請求項３の発明は、請求項１または２に記載したアクセサリーにおいて、装飾部材は空洞内に複数個収容できるサイズであることを特徴とするアクセサリーである。
【考案の効果】
【０００８】
本考案のアクセサリーによれば、使用する者自身が好みの変化に応じてアクセサリーのデザインを変えることが可能である。
【図面の簡単な説明】
【０００９】
【図１】本考案の実施の形態に係るアクセサリーの斜視図である。
【図２】図１のアクセサリーの平面図である。
【図３】図２のＡ−Ａ断面図である。
【図４】図１のアクセサリーのバッグの取っ手に取り付けた状態の図である。
【図５】装飾部材を入れ替えたアクセサリー１の平面図である。
【考案を実施するための形態】
【００１０】
本考案の実施の形態に係るアクセサリー１を図面にしたがって説明する。
符号３は容器体を示し、この容器体３は主部５、透明板７、９、開閉蓋３３等からなる。
主部５は図３において上下に二分割される部材が合わさって構成され、四葉のクローバーをモチーフとした外形を有し、その内部に空洞部１３が形成されている。
主部５の周壁４７には環状の連結部６が設けられている。また主部５の天板１５には宝石の模造品１８が複数固定されている。
【００１１】
主部５の天板１５と底板１６には主部５の外形同様クローバーをモチーフとした形状の窓部１７、１９が形成されている。窓部１７、１９は透明部２１、２３によって覆われており、容器体３は一部に透明部を有している。
透明部２１、２３は図３において上下に二分割される部材が合わさって構成されている。透明部２１、２３は窓部１７、１９を閉鎖する閉鎖板２５、２７と、閉鎖板２５、２７に一体に形成された当接部２９、３１から成り、当接部２９、３１が互いに当接して固定された状態で主部５に収容されている。
また、主部５の周壁４７には開口３２が形成され、この開口３２は空洞部１３に連通している。
【００１２】
符号３３は開閉蓋を示し、この開閉蓋３３は主部５の外形の側面（外周面）に沿う形状の湾曲部３５、湾曲部３５に一体に形成された基部３７、湾曲部３５の先端に形成された係合部３９から成る。係合部３９の先端は二つに分かれている。
図２に示すように開閉蓋３３の基部３７には長穴４３が形成されている。この長穴４３に主部５に固定された支持軸４１が挿通されている。これにより開閉蓋３３は支持軸４１によって回動自在に支持されており、開口３２を開放する状態と閉鎖する状態に開閉動作するようになっている。開閉蓋３３は支持軸４１と長穴４３の一端部との間に配置されたバネ３８によって係合部３９の方向へ付勢されている。
【００１３】
開閉蓋３３の基部３７の端面と主部５の周壁４７の一端面との間には隙間４５がある。また周壁４７の他端面には被係合部５１が形成され、この被係合部５１は開閉蓋３３の係合部３９が係合する形状に形成されている。
容器体３は以上のように構成されている。
【００１４】
容器体３には複数種類の装飾部材が収容される。
装飾部材には、Ａ型部材５３、Ｂ型部材５５、Ｃ型部材５７、花形部材５９、円柱状部材６１がある。これらに装飾部材には宝石の模造品１８が設けられている。これらのＡ型部材５３、Ｂ型部材５５、Ｃ型部材５７、花形部材５９、円柱状部材６１は空洞部１３にすべて収容できるサイズに製作されている。
容器体３に収容されたＡ型部材５３、Ｂ型部材５５、Ｃ型部材５７、花形部材５９、円柱状部材６１は、窓部１７、１９を覆う透明部２１、２３を介して、外部から視認することができる。
【００１５】
アクセサリー１の使用方法について説明する。
図１に示すように、開閉蓋３３を開けて開口３２を開放し、開口からＡ型部材５３、Ｂ型部材５５、Ｃ型部材５７、花形部材５９及び円柱状部材６１を入れて、空洞部１３に収容する。そして、開閉蓋３３を閉めて、開口３２を閉鎖する。
【００１６】
開閉蓋３３を開ける際には先の細いドライバー等を係合部３９と被係合部５１の間に差し込んで、図示しないバネに抗して基部３７の方向へ押した状態で図２において時計回りの方向へ回動させる。基部３７の方向へ押すのは係合部３９の被係合部５１に対する係合を解除するためである。前述のように開閉蓋３３の基部３７には長穴４３が形成されており、この長穴４３に主部５に固定された支持軸４１が挿通され、しかも開閉蓋３３の基部３７の端面と主部５の周壁４７の一端面との間には隙間４５があるので、開閉蓋３３は周壁４７の一端面側へ動作することができる。
また、開閉蓋３３を閉じる際には、図１において反時計回りの方向へ回動させ、開閉蓋３３を図示しないバネに抗して基部３７の方向へ押した状態で、更に反時計回りの方向へ回動させて、係合部３９を被係合部５１に係合させて、開閉蓋３３を閉じた状態に固定する。
【００１７】
上記のようにして、Ａ型部材５３、Ｂ型部材５５、Ｃ型部材５７、花形部材５９及び円柱状部材６１を空洞部１３に収容して、開閉蓋３３を閉じてアクセサリー１が完成する。
そして、アクセサリー１の連結部６にチェーン６０を連結して、このチェーン６０を介してバッグ６２の取っ手６４にアクセサリー１を吊下げる。
【００１８】
また、使用者の好みが変わり、上記したＡ型部材５３、Ｂ型部材５５、Ｃ型部材５７、花形部材５９及び円柱状部材６１を空洞部１３に収容したデザインから他のデザインに変更したい場合には、図５に示すように、例えば空洞部１３内の上記部材を、別の装飾部材としてのＮ型部材６５、Ｖ型部材６７、ハート型部材６９、アヒル型部材７１、４つの突起を有する掌様部材７３に入れ替える。容器体３に収容されたＮ型部材６５、Ｖ型部材６７、ハート型部材６９、アヒル型部材７１および掌様部材７３は窓部１７、１９を覆う透明部２１、２３を介して外部から視認することができる。これによりアクセサリー１は別のデザインとなる。
【００１９】
なお、Ａ型部材５３、Ｂ型部材５５、Ｃ型部材５７、花形部材５９及び円柱状部材６１を空洞部１３から出す場合には、前述したように開閉蓋３３を開いて開口３２から取り出し、また、Ｎ型部材６５、Ｖ型部材６７、ハート型部材６９、アヒル型部材７１、掌様部材７３は開口３２から空洞部１３へ入れる。
【００２０】
このようにアクセサリー１によれば、使用する者自身が好みに応じてアクセサリーのデザインを変えることができて、相当な長期間に渡ってデザインを楽しむことが可能である。
【００２１】
以上、本考案の実施の形態について詳述してきたが、具体的構成は、この実施の形態に限られるものではなく、本考案の要旨を逸脱しない範囲における設計の変更などがあっても考案に含まれる。
上記実施の形態では透明板によって窓部を覆う容器体の一部を透明とする構成としたが、容器体全体を透明としてもよく、また天板と底面だけでなく、側面（周面）も透明とする構成としてもよい。
【００２２】
例えば、主部のデザインは上記した四葉のクローバーをモチーフした外形に限定されず、丸型、ハート型等、別のデザインのものであってもよいのは勿論である。
また、主部に収容する装飾部材も本実施の形態に記載したものに限定されず、上記したアルファベット型以外のアルファベット型のもの、星形等、別のデザインのものであってもよいのは勿論である。
また、主部の連結部に連結する部材はチェーン以外のストラップ等であってもよい。
【産業上の利用可能性】
【００２３】
本考案に係るアクセサリーはアクセサリー製造業に利用可能性を有する。
【符号の説明】
【００２４】
１…アクセサリー                ３…容器体
５…主部                        ６…連結部
７、９…透明板                １３…空洞部
１５…天板                      １７、１９…窓部
１８…宝石の模造品              ２１、２３…透明部
２５、２７…閉鎖板              ２９、３１…当接部
３２…開口                      ３３…開閉蓋
３５…湾曲部                    ３７…基部
３８…バネ                      ３９…係合部
４１…支持軸                    ４３…長穴
４５…隙間                      ４７…周壁
５１…被係合部                  ５３…Ａ型部材
５５…Ｂ型部材                  ５７…Ｃ型部材
６０…チェーン                  ６２…バッグ
６４…取っ手                    ６５…Ｎ型部材
６７…Ｖ型部材                  ６９…ハート型部材
７１…アヒル型部材              ７３…掌様部材
【図１】
0003165917.tif 000003
【図２】
0003165917.tif 000004
【図３】
0003165917.tif 000005
【図４】
0003165917.tif 000006
【図５】
0003165917.tif 000007